(57)【要約】      （修正有）【課題】紙パックに着脱するのが容易で、しかも構造が簡単、特に大型紙パックに装着して安定して保持できる栓付型紙パック用ホルダーを提供する。【解決手段】紙パックの角胴部に外接する枠体３で、前面板４と、把手５を備えた背面板６と、前面板と背面板を繋ぐ側板７ａ、７ｂから成る。そして、側板の上端を延伸して撓み部８ａ，８ｂおよび設置部９ａ，９ｂを形成するとともに、設置部内面に係止片１０ａ，１０ｂを設置し、撓み部が有する可撓性を利用して、係止片を紙パックの上部にある三角錐状凹部に係合させ、紙パックを保持する。さらに、設置部外面にレバー１２ａ，１２ｂを設け、レバーを外側に引くことによって、係止片を三角錐状凹部から離脱させるようにした。【選択図】図１
2016108044.tif 000002
【特許請求の範囲】
【請求項１】
紙パック（１）の角胴部（２）に外接する枠体（３）であって、前面板（４）と、把手（５）を備えた背面板（６）と、前面板と背面板を繋ぐ側板（７ａ、７ｂ）から成り、夫々の側板の上端を延伸して撓み部（８ａ、８ｂ）および設置部（９ａ、９ｂ）を形成するとともに、夫々の設置部内面に係止片（１０ａ、１０ｂ）を設置し、撓み部が有する可撓性を利用して、夫々の係止片を紙パックの上部にある三角錐状凹部（１１ａ、１１ｂ）に係合させ、紙パックを保持することを特徴とした栓付型紙パック用ホルダー。
【請求項２】
前記設置部（９ａ、９ｂ）外面にレバー（１２ａ、１２ｂ）を設け、夫々のレバーを互いに外側に引くことによって、係止片（１０ａ、１０ｂ）を三角錐状凹部（１１ａ、１１ｂ）から離脱させることを特徴とした請求項１記載の栓付型紙パック用ホルダー。
【発明の詳細な説明】
【技術分野】
【０００１】  本発明は、果汁や酒類等を収容する紙パックに装着して、注ぎ易くするための栓付型紙パック用ホルダーに関するものである。
【背景技術】
【０００２】  従来、果汁等の紙パック飲料は、そのまま手で持ち上げて容器に注いでいたが、力の弱い老人や子供にとって、重い紙パックを扱うのが一苦労であった。また、調味料等にも広く使われはじめ、最近で焼酎用の１．８Ｌだけでなく、酒用の２．０Ｌ、さらには３．０Ｌ入り大型パックまで現れている。掴み幅が広く重いこれら大型紙パックはますます扱いにくくなっている。上記のような課題に対処するため、紙パックに装着して持ち上げ易くしたホルダーが提案されている。本発明に目的が類似していると思われる技術として「パックホルダー」という発明がある。この発明は、紙パックの角胴部に外接する角筒状の保持体と、保持体に設置したハンドルから成り、保持体に設置した係止体を紙パックに形成されている三角錐状凹部に係合させて装着する構造であるが、本発明と解決の手段、実施の形態が異なるものである（特許文献１参照）。即ち、特許文献１にあっては、保持体と係止体をヒンジで繋ぎ、且つハンドルを着脱できるようにした紙パックホルダーの技術が開示されている。
【先行技術文献】
【０００３】
【特許文献１】特開２００２−１０４３９１号公報
【発明の概要】
【発明が解決しようとする課題】
【０００４】  しかしながら上述の従来例では次のような欠点があった。
（イ）紙パックを支える係止体はヒンジを介して保持体上端に設置されているが、大型化して重い紙パックをヒンジで支持するのは安定性に欠け、耐久性にも問題があると考えられる。
（ロ）パックホルダーを紙パックに装着する作業が面倒である。即ち、紙パックの上方から保持体を下降させ、一旦係止体を角胴部まで引き下ろす。次に、保持体を上昇させて係止体を三角錐状凹部へ係止させる。また、パックホルダーを紙パックから取り外す作業も厄介である。即ち、保持体を一旦少し引き下ろし、係止体を三角錐状凹部から離脱させる。次に、係止体が三角錐状凹部に入り込まないように、係止体を手で支えながら保持体を持ち上げる。
本発明は上記の欠点を解決するため成されたものである。
【課題を解決するための手段】
【０００５】  紙パック（１）の角胴部（２）に外接する枠体（３）で、前面板（４）と、把手（５）を備えた背面板（６）と、前面板と背面板を繋ぐ側板（７ａ、７ｂ）から成る。そして、夫々の側板の上端を延伸して撓み部（８ａ、８ｂ）および設置部（９ａ、９ｂ）を形成するとともに、夫々の設置部内面に係止片（１０ａ、１０ｂ）を設置し、撓み部が有する可撓性を利用して、夫々の係止片を紙パックの上部にある三角錐状凹部（１１ａ、１１ｂ）に係合させ、紙パックを保持する。さらに、設置部（９ａ、９ｂ）外面にレバー（１２ａ、１２ｂ）を設け、夫々のレバーを互いに外側に引くことによって、係止片（１０ａ、１０ｂ）を三角錐状凹部（１１ａ、１１ｂ）から離脱させる。
以上の構成より成る、栓付型紙パック用ホルダー。
【発明の効果】
【０００６】  本発明は、栓付型紙パックに使用するホルダーで、特に大型で重量のある紙パックを保持するのに適している。また、装着および取り外しは紙パックの上部から容易に行うことができる。
【図面の簡単な説明】
【０００７】
【図１】本発明を示す斜視図である。
【図２】本発明を装着する紙パックを示す斜視図である。
【図３】本発明を紙パックに装着した状態を示す斜視図である。
【図４】本発明の係止片周辺を示す図１における部分拡大図である。
【図５】本発明を紙パックに装着する直前の状態を示す図３におけるＡ−Ａ断面図である。
【図６】本発明を紙パックに装着した状態を示す図３におけるＡ−Ａ断面図である。
【図７】本発明を紙パックから取り外す直前の状態を示す図３におけるＡ−Ａ断面図である。
【発明を実施するための形態】
【０００８】  以下、本発明の実施の形態について説明する。
（イ）図１は、本発明を示す斜視図であるが、紙パック（１）の角胴部（２）に外接する枠体（３）は、前面板（４）と、把手（５）を備えた背面板（６）と、前面板と背面板を繋ぐ側板（７ａ、７ｂ）から構成されている。そして、夫々の側板の上端の一部を延伸して下方の部分を撓み部（８ａ、８ｂ）とし、切り妻状の上方の部分を設置部（９ａ、９ｂ）としている。また、夫々の設置部内面に係止片（１０ａ、１０ｂ）を設置し、設置部外面にはレバー（１２ａ、１２ｂ）を設けている。尚、枠体の内寸法は、紙パックの外寸法よりも多少大き目に設定し、紙パックが標準寸法に対して膨張していたり、あるいは変形している場合でも装着できるようにする。
（ロ）前記撓み部（８ａ、８ｂ）についてであるが、撓み部は、係止片（１０ａ、１０ｂ）を紙パック（１）の三角錐状凹部（１１ａ、１１ｂ）に係合させると同時に、紙パックの重量を枠体（３）とともに支えなければならない。したがって、撓み部は、適度に可撓性があって、しかも強靭でなければならない。材質としてポリプロピレンが適している。
（ハ）図２は、本発明を装着する紙パックを示す斜視図であるが、紙パック（１）は上端に封口部（１３）を有し、封口部の両脇に三角錐状凹部（１１ａ、１１ｂ）を備えている。そして、２つの傾斜面（１４）の１つに栓（１５）を設けた角筒状容器である。尚、三角錐状凹部の上部、即ち、封口部の裏側が紙パックの全重量を支えるが、封口部はしっかりと接着されているので、紙パックの重量で開くことはない。
（ニ）図３は、本発明を紙パックに装着した状態を示す斜視図であるが、枠体（３）を紙パック（１）に装着するとき、把手（５）が栓（１５）の反対側に位置するようにして被せる。
（ホ）図４は、本発明の係止片周辺を示す図１における部分拡大図であるが、係止片（１０ａ、１０ｂ）は三角錐が変形した五面体で、係止片を設置部（９ａ、９ｂ）内面に設置するための取付面（５０ａ、５０ｂ）と、三角錐状凹部（１１ａ、１１ｂ）の上部に当接し、紙パック（１）を支える支持面（５１ａ、５１ｂ）と、枠体（３）を紙パックに装着する際、係止片に徐々に圧力を加え、撓み部（８ａ、８ｂ）を撓ませるガイド面（５２ａ、５２ｂ）と、逃げ面（５３ａ、５３ｂ）から成っている。逃げ面は、支持面とガイド面が集結する先端が、係止片を三角錐状凹部に係合させる際、または三角錐状凹部から離脱させる際、三角錐状凹部の頂部に干渉するのを避けるため、先端を傾斜するように切断して形成している。
（ヘ）図５は、本発明を紙パックに装着する直前の状態を示す図３におけるＡ−Ａ断面図であるが、枠体（３）を紙パック（１）に被せ、レバー（１２ａ、１２ｂ）を押すことによって、ガイド面（５２ａ、５２ｂ）が封口部（１３）の両端に当接しながら下降しているが、係止片（１０ａ、１０ｂ）は、三角錐状凹部（１１ａ、１１ｂ）にはまだ達していない状態を示している。同時に、撓み部（８ａ、８ｂ）が、ガイド面の抵抗によって大きく撓んでいる様子を示している。
（ト）図６は、本発明を紙パックに装着した状態を示す図３におけるＡ−Ａ断面図であるが、ガイド面（５２ａ、５２ｂ）が封口部（１３）の両端を通過し、係止片（１０ａ、１０ｂ）が三角錐状凹部（１１ａ、１１ｂ）に係合した様子を示している。即ち、撓み部（８ａ、８ｂ）は、自身の有する反発力で垂直に戻りながら係止片を三角錐状凹部に確実に挿入した状態である。尚、係止片は、逃げ面（５３ａ、５３ｂ）の効果で円滑に挿入することができる。
（チ）図７は、本発明を紙パックから取り外す直前の状態を示す図３におけるＡ−Ａ断面図であるが、レバー（１２ａ、１２ｂ）を互いに外側に引いて、係止片（１０ａ、１０ｂ）を三角錐状凹部（１１ａ、１１ｂ）から離脱させた様子を示している。次に、レバーを持ったまま、封口部（１３）の両端を躱しながら、枠体（３）を上方へ引き抜けば、取り外し完了である。引き抜いた後、レバーを離せば撓み部（８ａ、８ｂ）は垂直に戻る。尚、係止片は、逃げ面（５３ａ、５３ｂ）の効果で円滑に離脱することができる。
【符号の説明】
【０００９】１  紙パック
２  角胴部
３  枠体
４  前面板
５  把手
６  背面板
７ａ、７ｂ  側板
８ａ、８ｂ  撓み部
９ａ、９ｂ  設置部
１０ａ、１０ｂ  係止片
５０ａ、５０ｂ  取付面
５１ａ、５１ｂ  支持面
５２ａ、５２ｂ  ガイド面
５３ａ、５３ｂ  逃げ面
１１ａ、１１ｂ  三角錐状凹部
１２ａ、１２ｂ  レバー
１３  封口部
１４  傾斜面
１５  栓
【図１】
2016108044.tif 000003
【図２】
2016108044.tif 000004
【図３】
2016108044.tif 000005
【図４】
2016108044.tif 000006
【図５】
2016108044.tif 000007
【図６】
2016108044.tif 000008
【図７】
2016108044.tif 000009